(57)【特許請求の範囲】
【請求項１】
互いに垂直な対をなす主軸上に配置された多数の穴（２．１、２．３、２．４、２．５、２．６）を有する結合部材（１）によって結合点（１６．２）において結合された多数のロッド部材（１３．１、１４．２、１３．２）を有するフレーム構造において、
穴（２．２）が形成されており、その軸（ｓ）が２つの主軸（ｙ、ｚ）によって形成される平面内に位置し、主軸の一方（ｙ）に対してゼロとは異なる、２０．５°を越えない角度（β）だけ変位していることを特徴とする多数のロッド部材を有するフレーム構造。
【請求項２】
１つの穴（２．２）が１５°だけ変位しており、好ましくは側方の切欠きを有し、その切欠きが主軸（ｙ）上に配置された対向する穴（２．４）と整合する通路を形成することを特徴とする請求項１に記載のフレーム構造。
【請求項３】
結合部材（１）がボール形状であり、
穴（２．１〜２．６）と結合部材（１）が約１：３の直径比を有することを特徴とする請求項１または２に記載のフレーム構造。
【請求項４】
ロッド部材（１３．１、１４．２、１３．２）がそれぞれ開脚くさび結合部材（７）によって結合部材（１）と結合されていることを特徴とする請求項１から３までのいずれか１項に記載のフレーム構造。
【請求項５】
互いに７５°をなす穴（２．２、２．６）に固定されているロッド部材（１４．２、１３．２）のいずれかの片側の端面側には、切欠き（６．１、６．２）が形成されることを特徴とする請求項２から４までのいずれか１項に記載のフレーム構造。
【請求項６】
面取りされたロッド部材（４）内に挿入された開脚くさび結合部材（７）の片側の端面側には、同様に面取り（８）が施されることを特徴とする請求項５に記載のフレーム構造。
【請求項７】
ロッド部材（４）に、組み立ての際にドライバーを挿入するための少なくとも１つの外面側開口部（５．１、５．２）が形成されていることを特徴とする請求項１から６までのいずれか１項に記載のフレーム構造。
【請求項８】
請求項２から７までのいずれか１項に記載のフレーム構造を有する家具において、
家具がそれぞれ１５°変位した穴を有する結合部材（１６．１、１６．３、１６．１０、１６．１１）のみを有し、かつ台形家具（１１．１）として形成されていることを特徴とする家具。
【請求項９】
家具に、ラウンド家具を形成する互いに交互に連続する台形家具部分と矩形家具部分（１１．１〜１１．３：１０．１〜１０．４）が設けられていることを特徴とする請求項８に記載の家具。
【発明の詳細な説明】
【０００１】
【産業上の利用分野】
本発明は、互いに対をなして直交する主軸上に配置された多数の孔を有する結合部材によって結合点において結合された多数のロッド部材を有するフレーム構造に関する。また、本発明は、このフレーム構造を有する家具に関する。
【０００２】
【従来の技術】
冒頭で挙げた種類のフレーム構造はＥＰ０４００３４５Ｂ１（シェーラー  ゼーネ  アクチエンゲゼルシャフト（ＵＳＭ  Ｕ．Ｓｃｈａｅｒｅｒ  ＳｏｅｎｅＡＧ））から知られている。多数のロッド部材（例えば金属パイプ）を結合するために６箇のねじ孔を有するボールが使用される。ロッド部材をボールに固定するためには、特別に形成された開脚くさび部材とボルトが必要である。まずボールの孔内にルーズに螺合されたボルト上に開脚くさび部材が取り付けられる。ロッド部材は開脚くさび部材の上方へ完全に移動される。その後ボルトが締め付けられる。開脚くさび部材は、ボルトの軸方向の圧力を受けて半径方向に広がるように形成されている。従ってボルトを締め付けると開脚くさび部材はロッド部材の内壁に対して押圧される。
【０００３】
公知のボールの６箇の孔は互いに垂直に配置された３対の中央に延びる軸上に配置されている。この公知の構造を用いてショーケース、間仕切り等としての多数の構造形状を形成することができる。
【０００４】
【発明が解決しようとする課題】
本発明の課題は、直角の配置だけでなく、湾曲して延びる配置も実現することのできる、冒頭で挙げた種類のフレーム構造を提供することである。その場合に求める実施形態はすでに存在している構造と完全に互換性でなければならない。
【０００５】
【課題を解決するための手段】
本発明によればこの課題の解決は、冒頭で挙げた種類のフレーム構造において穴が形成されており、その軸が２つの主軸によって定義される平面内に位置し、上述の主軸の一方に対してゼロとは異なる、２０．５°を越えない角度変位していることにある。
【０００６】
【作用】
本発明による結合部材は、公知の結合部材とは変位した１つの穴によって異なっている。残りの５つの穴は従来と同様に対をなす互いに垂直な軸上に配置されている。従って本発明は明らかに、結合点に９０°とは異なる１つの（そしてそれ以上ではない）角度のみが許容されることに限定されている。実験によって、構造的に２０．５°までの角度が実現可能であることが明らかにされている。しかし角度は好ましくは１５°である。その場合には台形が実現され、その台形は矩形部材と選択的に組み合わせてリング状に閉鎖された規則的な多角形構造となる。また、付加的な開脚部材を使用せずに例えば９０°円弧を有するラウンド家具が形成される。
【０００７】
特に好ましい実施例によれば、１５°変位した穴に側方の切欠きが形成され、この切欠きは主軸上に配置された対向する穴のための整合する通路を形成する。この切欠きは好ましくは円弧形状である。この切欠きによって形成される通路により、反対側の締付けくさび部材を固定するためにドライバーを結合部材に挿通することが可能になる。切欠きの異なるあるいは他の機能は、１５°変位した穴を特徴づけることである。このようにして特別に訓練されていない素人でも組み立てが可能になる。
【０００８】
代表的には結合部材はボール形状である。特に好ましい実施例によれば、穴と結合部材は約１：３の直径比を有する。それに伴って通常中空円筒状のロッド部材の直径はボールに較べて余り小さいことはない。寸法差は例えば約２０％である。
ロッド部材は例えばＥＰ０４００３４５Ｂ１に記載の開脚くさび結合部材によって結合部材と結合される。
【０００９】
本発明による構造においては、結合部材に固定された、７５°の角度をなす２つのロッド部材が得られる。本発明を同様な直径を有するロッドないしボール断面によっても実施することができるようにするために、ロッド部材のいずれかの端面側端部の片側がセグメント形状に切欠かれている。切欠きによって隣接のロッド部材ようにスペースが形成される。
【００１０】
さらに端部側が切欠かれたロッド部材に挿入される開脚くさび結合部材の片側を面取りすることができる。
公知のようにしてロッド部材の端部近傍に外面側の開口部を形成することができる。この開口部を通して開脚くさび結合部材を特殊ドライバーを用いて締め付けることができる。
【００１１】
家具は、それが矩形家具であっても、台形家具であっても、あるいは組み合わせた家具であっても、原則的に本発明による結合部材とそれに属するロッド部材だけで形成することができる。ラウンド家具は台形と矩形の家具部材を組み合わせることによって形成される。この新しいフレーム構造を用いて、３０°の任意の倍数に相当する中心角度を有する円弧状、多角形輪郭の家具および間仕切りを形成することができる。
【００１２】
【実施例】
以下、本発明の一実施例を、図面を参照して説明する。原則的に図面において同一の部材には同一の参照符号が付されている。
図１は、ボール部材１の好ましい実施例を示すものであって、図１（Ｂ）は、図１（Ａ）の視線Ａ方向からの表示に相当する。ボール部材１は金属からなり、内ねじを備えた６つの穴２．１〜２．６を有する。６つの穴の５つは互いに垂直に配置された３対の主軸ｘ、ｙおよびｚ（直角の座標系の軸）上にある。本実施例においては穴２．１と２．３がｘ軸上で互いに整合し、穴２．５と２．６がｚ軸上で互いに整合している。ｙ軸上には穴２．４のみが設けられている。
【００１３】
本発明に従って穴２．２は上述の主軸とは異なる軸ｓ上に設けられている。この軸はｙ軸とｚ軸によって形成された平面に位置し、ｙ軸と１５°の角度βを形成する。それによって穴２．２は穴２．６と７５°の角度を形成し、かつ穴２．５とは１０５°の角度を形成する。それに対して穴２．１と２．３に対しては穴２．２は依然として９０°の角度を有する。
【００１４】
穴２．２には切欠き３が形成されており、この切欠きはｙ軸に関して円筒状の内面を形成する。切欠き３はいわばｙ軸上に設けられたねじのない穴（ないしは穴部分）を形成する。それによって工具（例えばドライバー）を１５°だけ変位した穴２．２からボール部材１内へ挿入して、例えば穴２．４内に係止すべき固定部材のボルトを締め付けることが可能になる。
【００１５】
さらに切欠き３は、６つの穴のどれが１５°変位しているかを誤りなく示す。ねじを有する穴２．１〜２．６の内径は例えばボール部材１の直径の約３分の１である。すなわち、穴２．１〜２．６は比較的大きい。
図２には中空円筒状のロッド４が図示されており、このロッドは開脚くさび部材を用いて１５°変位した穴２．２と結合することができる。公知のようにロッドの外側面には端部近傍に形成されたスリット５．１、５．２が設けられている。このスリット５．１、５．２と共通の軸ないしは外側表面線上の、端面側の片側に切欠き６．１、６．２が形成されている。この切欠きは斜めにされた円弧状の切欠きである。
【００１６】
図３には、例えば上記ＥＰ０４００３４５Ｂ１（例えば、その図１、５、７を参照）に記載されているようなボルト９を有する開脚くさび部材７が図示されている。この開脚くさび部材は互いに噛み合ったくさび形状に切断された半体７．１と７．２からなり、かつ円筒状のジャケットの形状を有する。ボルト９は穴２．１〜２．６へはめ込まれる。ボルト９が締め付けられると、半体７．１、７．２は軸方向の圧力を受けて半径方向外側へ押圧されて、該当するロッド４の端部内に締付け固定される。
【００１７】
それ自体公知のこの構成部材に本発明によって一方側に、切欠き６．１および６．２と関連する面取り８が形成されている。
ボルト９のヘッド９．１には第１の６角スリーブ１２．１が形成され、ボルト端部９．２には第２の６角スリーブ１２．２が設けられている。従って開脚くさび部材７は第１に離れたロッド端部から挿入された長いドライバーによって、第２に最も近いスリット５．１または５．２から挿入された特殊なドライバーによって、そして第３にボール部材１の対向する穴を通して挿入されたドライバーによって締め付けることができる。最初の２つの取付け例においてはドライバーはヘッド９．１に、第３の例においてはボルト端部９．２にあてがわれる。切欠き３によって、穴２．４内に挿入すべきボルトについてもボルト端部から（上述の変形例３）締め付け可能であることが保証される。
【００１８】
図４には上述の結合構造によって実現可能なラウンド家具の底面が図示されちえる。このラウンド家具は４つの矩形家具１０．１〜１０．４とそれぞれその間に挿入された台形家具１１．１〜１１．３から形成されている。各台形家具１１．１〜１１．３によってラウンド家具の３０°の方向変換がもたらされる。
本実施例においてはラウンド家具の外側には同一長さのロッド１３．１〜１３．７が設けられている。しかし内側には、それが台形の家具１１．１〜１１．３に設けられるか、あるいは矩形の家具１０．１〜１０．４に設けられるかに従って、異なる長さのロッド１５．１〜１５．７が設けられる。外側に位置するロッドと内側に位置するロッド１３．１〜１３．７ないしは１５．１〜１５．７間には同一長さのロッド１４．１〜１４．７が設けられている。構造全体が図１ａ、ｂに示す結合部材１６．１〜１６．１６によって結合されている。
【００１９】
図から明らかなように、同時に矩形家具と台形家具１０．１ないし１１．１を結合する結合部材１６．２においては、ロッド１３．１と１４．２は互いに直角であるが、ロッド１３．２と１４．２は７５°の角度を形成する。
外側からは（すなわちＢ方向から見て）ラウンド家具は規則的な多角形の線を示すが、内側からは（Ｃ方向から見て）不規則である。というのは矩形家具１０．１〜１０．４の長い側（１５．１、１５．３、１５．５、１５．７）と台形家具１１．１〜１１．３の短い側（１５．２、１５．４、１５．６）が交互になっているからである。
【００２０】
図４に示す構造は、矩形家具１０．１〜１０．４に公知のようにして異なる組み込みシステム（棚板、引出し）を搭載することができ、かつ顧客の要望に最適に適合可能であるという利点を有する。多面的に利用しにくい台形家具１１．１〜１１．３は、それが望ましいことであるが、少数である。
ラウンド家具は１層あるいは多層に組み立てることができる。従ってラウンド家具は例えば２層、３層あるいはそれ以上の層に互いに重ねて配置された棚部材から形成することができる。
【００２１】
図５には図４に示すラウンド家具の一部の斜視図が示されている。実線で示すのが台形家具１１．１である。これは例えば３０ｃｍ〜６０ｃｍの奥行き、例えば１ｍ〜１．５０ｍの高さ、約３０ｃｍ〜５０ｃｍの短い方の長さと４０ｃｍ〜８０ｃｍの長い方の長さを有する。長さの比を適当に選択することによって、ラウンド家具の曲率をそれぞれの要請に適合されることができる。
【００２２】
本発明による結合構造を用いて閉鎖されたリング、半円弧、Ｓ字および他の多数のものが可能であることは容易に認識することができる。
【００２３】
【発明の効果】
要約すると、本発明によれば、公知で良いことが明らかになっている構造システムに基づいてラウンド家具を形成するのに驚くほど簡単な方法を得ることができる。
【図面の簡単な説明】
【図１】本発明に係る結合部材の２つの異なる面を示す図である。
【図２】切欠きを有する本発明に係るロッドの概略的な側面図である。
【図３】面取りを有する締付けくさび部材を略示する図である。
【図４】９０°円弧から形成されるラウンド家具の例を示す図である。
【図５】台形家具とそれに連続する矩形家具を示す斜視図である。
【符号の説明】
１…ボール部材
２．１〜２．６…穴
３…切欠き
４…ロッド
５．１、５．２…スリット
６．１、６．２…切欠き
７…開脚くさび部材
７．１、７．２…半体
８…面取り
９…ボルト
９．１…ヘッド
９．２…ボルト端部
【図１】
0003614926.tif 000002
【図２】
0003614926.tif 000003
【図３】
0003614926.tif 000004
【図４】
0003614926.tif 000005
【図５】
0003614926.tif 000006